(57)【要約】【課題】  他端小径開口部に形成したダストリップのシール性能を向上させることにより、小径開口部のシール性能が良好なボールジョイント用ダストカバーを提供することを目的とする。【解決手段】ボールスタッドの一端に形成された球頭部がソケット内に保持され、前記ボールスタッドの他端の軸はナックルに締め付け固定され、一端大径開口部が前記ソケットの外周面に固定保持され、前記ナックルと弾性接触しているダストリップを備えた他端小径開口部が前記軸に保持されたボールジョイント用ダストカバーにおいて、前記ダストリップの前記ナックルと接触する面に複数本の環状突起を形成したことを特徴とする。【選択図】図２
2015218798.tif 000002
【特許請求の範囲】
【請求項１】
ボールスタッド（１）の一端に形成された球頭部（２）がソケット（３）内に保持され、前記ボールスタッド（１）の他端の軸（４）はナックル（５）に締め付け固定され、一端大径開口部（８）が前記ソケット（３）の外周面に固定保持され、前記ナックル（５）と弾性接触しているダストリップ（９）を備えた他端小径開口部（７）が前記軸（４）に保持されたボールジョイント用ダストカバー（６）において、
前記ダストリップ（９）の前記ナックル（５）と接触する面に複数本の環状突起（９１）を形成したことを特徴とするボールジョイント用ダストカバー。
【請求項２】
前記環状突起（９１）を形成している外側傾斜面（Ｌ１）の長さは内側傾斜面（Ｌ２）よりも短く、前記外側傾斜面（Ｌ１）の傾斜角度（α）は前記内側傾斜面（Ｌ２）の傾斜角度（β）に比べ大きいことを特徴とする請求項１記載のボールジョイント用ダストカバー。
【請求項３】
前記環状突起（９１）の高さ（Ｈ）は前記環状突起（９１）の間隙（Ｄ）よりも小さいことを特徴とする請求項１または２記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては図５に記載のボールジョイント用ダストカバーが知られている。（特許文献１）
【０００３】
この種ボールジョイント用ダストカバーのシール構造は、ボールスタッド１００の一端に形成された球頭部２００がソケット３００内に保持されている。
そして、ボールスタッド１００の他端の軸４００は、ナックル５００に締め付け固定されている。
【０００４】
一方、弾性材製ダストカバー６００の断面略コ字形状の一端大径開口部８００が、ソケット３００の外周面に形成された環状の溝部３１０内に、円環状押さえリング８１０により固定保持され、断面Ｌ字形状の金属補強環７１０が埋設され、ナックル５００と弾性接触しているダストリップ９００を備えた他端小径開口部７００が軸４００に保持された構成となっている。
そして、このダストリップ９００がナックル５００の面（図上下側の面）に適度に圧接されることにより、ボールスタッド１００の揺動運動及び往復回転運動に対してシール性を発揮する形を取っている。
【０００５】
しかし、この種従来の弾性材製ダストカバー６００のダストリップ９００は、図６に示す形状を呈している。
そして、ボールスタッド１００の往復回転運動に伴い、ダストリップ９００は、図７の黒く塗りつぶした形に摩耗が進行する。
この結果、ダストリップ９００のシール性能に大きく影響する先端部９１０が摩耗により損傷を受ける為、ダストリップ９００のシール性能が大きく低下する。
この為、他端小径開口部７００におけるシール性能が低下し、外部から土砂や塵芥がダストカバー６００内に浸入する問題を惹起した。
【０００６】
また、この様なダストリップ９００のシール性能の低下は、外部から土砂や塵芥がダストカバー６００内に浸入するだけでなく、ダストカバー６００内に封入されたグリースが漏れ出る危険性を招来した。
【先行技術文献】
【特許文献】
【０００７】
【特許文献１】特開昭６２−１３７４０８号公報
【発明の開示】
【発明が解決しようとする課題】
【０００８】
本発明は、このような課題に鑑みてなされたものであり、他端小径開口部に形成したダストリップのシール性能を向上させることにより、小径開口部のシール性能が良好なボールジョイント用ダストカバーを提供することを目的とする。
【課題を解決するための手段】
【０００９】
本発明のボールジョイント用ダストカバーは、ボールスタッドの一端に形成された球頭部がソケット内に保持され、前記ボールスタッドの他端の軸はナックルに締め付け固定され、一端大径開口部が前記ソケットの外周面に固定保持され、前記ナックルと弾性接触しているダストリップを備えた他端小径開口部が前記軸に保持されたボールジョイント用ダストカバーにおいて、前記ダストリップの前記ナックルと接触する面に複数本の環状突起を形成したことを特徴とする。
【発明の効果】
【００１０】
本発明は、以下に記載されるような効果を奏する。
請求項１記載の発明のボールジョイント用ダストカバーによれば、他端小径開口部に設けたダストリップのナックルと接触する面に、複数本の環状突起を形成する構成とした為、ダストリップのシール性能を向上させ、小径開口部のシール性能を良好に維持出来る。
更に、請求項２記載の発明のボールジョイント用ダストカバーによれば、環状突起を形成している外側傾斜面の長さは内側傾斜面よりも短く、外側傾斜面の傾斜角度は内側傾斜面の傾斜角度に比べ大きい構成としている為、外部からの土砂や塵芥がダストカバー内に浸入することをより効果的に排除出来る。
【００１１】
更に、請求項３記載の発明のボールジョイント用ダストカバーによれば、環状突起の高さは環状突起の間隙よりも小さい構成としている為、長期間に渡って小径開口部のシール性能を良好に維持出来る。
【図面の簡単な説明】
【００１２】
【図１】本発明に係る装着状態のボールジョイント用ダストカバーの縦断面図。
【図２】図１のボールジョイント用ダストカバーの装着前の部分拡大図。
【図３】図２を更に拡大した説明図。
【図４】本発明に係るボールジョイント用ダストカバーのダストリップの摩耗状態を示す説明図。
【図５】従来技術に係るボールジョイント用ダストカバーの縦断面図。
【図６】図５のボールジョイント用ダストカバーの装着前の部分拡大図。
【図７】従来技術に係るボールジョイント用ダストカバーのダストリップの摩耗状態を示す説明図。
【発明を実施するための形態】
【００１３】
以下、本発明を実施するための態様について説明する。
図１、図２及び図３に示される様に、本発明に係るボールジョイント用ダストカバーは、ボールスタッド１の一端に形成された球頭部２がソケット３内に保持され、このボールスタッド１の他端の軸４はナックル５に締め付け固定され、一端大径開口部８がソケット３の外周面に固定保持され、断面Ｌ字形状の金属補強環７１が埋設され、ナックル５と弾性接触しているダストリップ９を備えた他端小径開口部７が軸４に保持された基本構成を備えている。
尚、本実施態様に於いては、他端小径開口部７に金属補強環７１を埋設する構成としたが、必ずしも金属補強環７１を埋設する必要は無く、金属補強環７１を埋設しない態様のものに於いても、本発明は有効に機能する。
また、他端小径開口部７に補強環を埋設する場合、金属補強環に代わり樹脂補強環を使用しても良い。
【００１４】
そして、ダストリップ９のナックル５と接触する面に３本の環状突起９１を形成する構成となっている。
【００１５】
この様に、他端小径開口部７には、ナックル５の面と弾性接触している３本の環状突起９１を備えるダストリップ９が一体形成されている。
このダストリップ９の存在により、外部からの塵埃や土砂等のダストカバー６内への浸入を効果的に阻止出来る。
【００１６】
この環状突起９１は、２本以上存在すれば良いが、好ましくは３本以上存在することが好ましい。
【００１７】
また、この環状突起９１は、図３に示す様に、各環状突起９１を形成している外側傾斜面Ｌ１（図上上側）の長さは内側傾斜面Ｌ２（図上下側）よりも短く、環状突起９１の底部を結ぶ線Ｘと外側傾斜面Ｌ１の成す傾斜角度αは、環状突起９１の底部を結ぶ線Ｘと内側傾斜面Ｌ２の成す傾斜角度βに比べ大きく設計されている。
この様に設計することにより、外部からの土砂や塵芥がダストカバー６内に浸入することをより効果的に排除出来る。
【００１８】
更に、環状突起９１の高さＨは環状突起９１の間隙Ｄよりも小さく設計されている。
この為、長期間に渡って他端小径開口部７のシール性能を良好に維持出来る。
【００１９】
この様な構成を備える本発明に係るボールジョイント用ダストカバーのダストリップ９は、ボールスタッド１の往復回転運動に伴い、図４の黒く塗りつぶした形に摩耗が進行する。
【００２０】
この様に、最も外側（図上上方）に位置する環状突起９１から、順次内側（図上下側）に位置する環状突起９に摩耗が進行する為、最も外側（図上上方）に位置する環状突起９１のシール性能が低下しても、次に位置する環状突起９１が良好なシール性能を発揮する為、長期間に渡って、外部からの土砂や塵芥がダストカバー内に浸入することをより効果的に排除出来る。
【００２１】
また、ダストカバー６の材質は、クロロプレン等のゴム状弾性材や、ポリエステル系エラストマー、熱可塑性ポリウレタン等の熱可塑性エラストマーから、適宜用途に合わせ選択して使用される。
【００２２】
また、ダストカバー６内には、グリースが封入されている。
【００２３】
一方、ダストカバー６の断面略コ字形状の一端大径開口部８は、ソケット３の外周面に形成された環状の溝部３１内に、円環状押さえリング８１により固定保持される構成となっている。
この押さえリング８１は、断面略矩形状のサークリップを使用したが、一端大径開口部８に金属補強環を埋設一体化したタイプ等用途に応じ各種押えリングが採用される。
【００２４】
また、本発明は上述の発明を実施するための最良の形態に限らず本発明の要旨を逸脱することなくその他種々の構成を採り得ることはもちろんである。
【産業上の利用可能性】
【００２５】
自動車の懸架装置及び操舵装置等に使用されるボールジョイントに使用できる。
【符号の説明】
【００２６】
１    ボールスタット
２    球頭部
３    ソケット
４    軸
５    ナックル
６    ダストカバー
７    他端小径開口部
８    一端大径開口部
９    ダストリップ
３１  溝部
７１  金属補強環
８１  円環状押えリング
９１  環状突起
【図１】
2015218798.tif 000003
【図２】
2015218798.tif 000004
【図３】
2015218798.tif 000005
【図４】
2015218798.tif 000006
【図５】
2015218798.tif 000007
【図６】
2015218798.tif 000008
【図７】
2015218798.tif 000009